(57)【要約】【課題】パッドからの漏れが生じた場合であっても、着用時の不快感を抑えることができる下着を提供する。【解決手段】尿失禁者用ショーツ１では、クロッチ部３において、肌側布１１の脇縁部１１ｃに設けられた第１の脇布１５が裏当布１２の張出部分よりも広い幅を有している。そして、第１の脇布１５の脇縁部１５ｃが折り返された状態で肌側布１１の脇縁部１１ｃに縫着されることにより、肌側布１１の脇縁部１１ｃから肌側布１１の中央側に向かって張り出すように装着面１１ｄに対して隆起する隆起部１７が形成されている。したがって、尿失禁者用ショーツ１では、パッドからの伝い漏れ等が発生した場合であっても、漏れた尿が隆起部１７によって堰き止められて吸水性の肌側布１１側に戻されるので、外衣が汚れることを防止でき、着用者の不快感を抑えることが可能となる。【選択図】図３
2010261135.tif 000002
【特許請求の範囲】
【請求項１】
着用者の体液が外部に漏れるのを抑えるパッドが縫着又は装着可能なクロッチ部を備えた下着であって、
前記クロッチ部は、
前記パッドの縫着面又は装着面を有する吸収性の肌側布と、
前記肌側布に対して前記縫着面又は前記装着面の反対側に配置された撥水性及び防水性の少なくとも一方を有する裏当布と、
前記肌側布の脇縁部及び前記裏当布の脇縁部に沿って配置された撥水性及び防水性の少なくとも一方を有する第１の脇布と、を備え、
前記裏当布の脇縁部は、前記肌側布の脇縁部から張り出す張出部分を有し、
前記第１の脇布は、前記張出部分よりも広い幅を有し、前記第１の脇布の脇縁部が折り返された状態で前記肌側布の脇縁部に縫着されることにより、前記縫着面又は前記装着面に対して隆起する隆起部が形成されていることを特徴とする下着。
【請求項２】
前記隆起部の高さは、着用状態において着用者の鼠蹊溝の最下部に相当する位置で最大となっていることを特徴とする請求項１記載の下着。
【請求項３】
前記第１の脇布と前記裏当布との間には、撥水性及び防水性の少なくとも一方を有する第２の脇布が配置され、
前記第２の脇布が前記肌側布の脇縁部と前記裏当布の脇縁部とに縫着されることにより、前記第１の脇布との間で袋部が形成されていることを特徴とする請求項１又は２記載の下着。
【請求項４】
前記第１の脇布の裏側面と前記第２の脇布の肌側面とは、共に防水性を有する面となっていることを特徴とする請求項３記載の下着。
【請求項５】
前記第２の脇布の裏側面と前記裏当布の肌側面とは、共に防水性を有する面となっていることを特徴とする請求項３記載の下着。
【請求項６】
着用者の体液が外部に漏れるのを抑えるパッドが縫着又は装着可能なクロッチ部を備えた下着であって、
前記クロッチ部は、
前記パッドの縫着面又は装着面を有する吸収性の肌側布と、
前記肌側布に対して前記縫着面又は前記装着面の反対側に配置された撥水性及び防水性の少なくとも一方を有する裏当布と、
前記肌側布の脇縁部及び前記裏当布の脇縁部に沿って配置された撥水性及び防水性の少なくとも一方を有する第１の脇布と、を備え、
前記第１の脇布は、前記肌側布の脇縁部から中央に向かって張り出すように前記縫着面又は前記装着面に対して隆起する隆起部を有していることを特徴とする下着。
【発明の詳細な説明】
【技術分野】
【０００１】
本発明は、失禁時の尿や生理時の経血といった体液が外部に漏れるのを抑えるためのパッドを装着可能な下着に関する。
【背景技術】
【０００２】
従来の下着として、例えば特許文献１に記載の失禁用パンツがある。この失禁用パンツは、ラミネート生地、吸水性部材、吸収性生地、及びネット生地の積層体の周縁を撥水性テープで縫着してなるパッドを備えており、パッドの周縁を部分的にパンツ身生地に縫着した構造となっている。これにより、パッドに吸収された尿がパンツの身生地にはみ出ることを防止するようになっている。
【先行技術文献】
【特許文献】
【０００３】
【特許文献１】登録実用新案第２５３５４６９号公報
【発明の概要】
【発明が解決しようとする課題】
【０００４】
ところで、上述のような下着では、漏れた直後の体液の外部への漏れはパッドによって抑えられるものの、パッドの吸水性部材に吸収された体液が時間の経過とともに縫着部分を伝って外側に漏れ出る、いわゆる伝え漏れが生じる場合がある。しかしながら、従来では、パッドが装着されるクロッチ部に防水機能のみが施されている場合が多く、パッドからの伝い漏れが発生すると、漏れた体液が下着側で吸収・保水されずに外衣を汚し、着用者の不快感を増大させてしまうおそれがある。
【０００５】
本発明は、上記課題の解決のためになされたものであり、パッドからの漏れが生じた場合であっても、着用時の不快感を抑えることができる下着を提供することを目的とする。
【課題を解決するための手段】
【０００６】
上記課題の解決のため、本発明に係る下着は、着用者の体液が外部に漏れるのを抑えるパッドが縫着又は装着可能なクロッチ部を備えた下着であって、クロッチ部は、パッドの縫着面又は装着面を有する吸収性の肌側布と、肌側布に対して縫着面又は装着面の反対側に配置された撥水性及び防水性の少なくとも一方を有する裏当布と、肌側布の脇縁部及び裏当布の脇縁部に沿って配置された撥水性及び防水性の少なくとも一方を有する第１の脇布と、を備え、裏当布の脇縁部は、肌側布の脇縁部から張り出す張出部分を有し、第１の脇布は、張出部分よりも広い幅を有し、第１の脇布の脇縁部が折り返された状態で肌側布の脇縁部に縫着されることにより、縫着面又は装着面に対して隆起する隆起部が形成されていることを特徴としている。
【０００７】
この下着では、肌側布の脇縁部に設けられた第１の脇布が張出部分よりも広い幅を有し、第１の脇布の脇縁部が折り返された状態で肌側布の脇縁部に縫着されることにより、縫着面又は装着面に対して隆起する隆起部が形成されている。したがって、パッドからの伝い漏れや飛び跳ねが発生した場合であっても、漏れたり飛び跳ねたりした体液が隆起部によって堰き止められて吸水性の肌側布側に戻されるので、外衣が汚れることを防止でき、着用者の不快感を抑えることが可能となる。また、第１の脇布の隆起部は、着用時の姿勢によっては横倒れする場合がある。しかしながら、横倒れが生じた場合には、隆起部が潰れる分だけ幅方向に広がり、肌側布の脇縁部の防水・撥水領域が広がるので、漏れた体液の堰き止め効果が担保される。
【０００８】
また、隆起部の高さは、着用状態において着用者の鼠蹊溝の最下部に相当する位置で最大となっていることが好ましい。パッドで受ける体液の量は、臀溝と鼠蹊溝とが連結される部分である鼠蹊溝の最下部に相当する位置で最も多くなる傾向にある。したがって、隆起部の高さをこの位置で最大としておくことにより、パッドから漏れた体液を一層効果的に堰き止めることができる。この効果は、着用者が起立状態にある場合において特に有効である。なお、鼠蹊溝の最下部に相当する位置は、着用者の体型により異なるものである。そのため、全ての着用者において、着用状態における隆起部の高さを着用者の鼠蹊溝の最下部に相当する位置で最大とすることは困難であるので、本願発明の下着においては、隆起部が最大高さとなる位置が、着用者の鼠蹊溝の最下部に相当する位置及びその近傍に位置することを意図している。
【０００９】
また、第１の脇布と裏当布との間には、撥水性及び防水性の少なくとも一方を有する第２の脇布が配置され、第２の脇布が肌側布の脇縁部と裏当布の脇縁部とに縫着されることにより、第１の脇布との間で袋部が形成されていることが好ましい。この場合、隆起部にかかる身体の荷重や、運動による形状変化に対する復元性が得られ、隙間が発生しにくくなる。
【００１０】
また、第１の脇布の裏側面と第２の脇布の肌側面とは、共に防水性を有する面となっていることが好ましい。防水性を有する布同士は、互いに密着し易い性質を有している。このため、第１の脇布の裏側面と第２の脇布の肌側面とを共に防水性を有する面とすることで、袋部内に体液が入りにくくなると共に、袋部内で体液が広がりにくくなり、外衣が汚れることを一層確実に防止できる。
【００１１】
また、第２の脇布の裏側面と裏当布の肌側面とは、共に防水性を有する面となっていることが好ましい。防水性を有する布同士は、互いに密着し易い性質を有している。これは、クロッチ周縁部で特に顕著である。このため、第２の脇布の裏側面と裏当布の肌側面とを共に防水性を有する面とすることで、第２の脇布と裏当布との間で体液が広がりにくくなり、外衣が汚れることを一層確実に防止できる。
【００１２】
また、本発明に係る下着は、着用者の体液が外部に漏れるのを抑えるパッドが縫着又は装着されるクロッチ部を備えた下着であって、クロッチ部は、パッドの縫着面又は装着面を有する吸収性の肌側布と、肌側布に対して縫着面又は装着面の反対側に配置された撥水性及び防水性の少なくとも一方を有する裏当布と、肌側布の脇縁部及び裏当布の脇縁部に沿って配置された撥水性及び防水性の少なくとも一方を有する第１の脇布と、を備え、第１の脇布は、肌側布の脇縁部から中央に向かって張り出すように縫着面又は装着面に対して隆起する隆起部を有していることを特徴としている。
【００１３】
この下着では、肌側布の脇縁部に設けられた第１の脇布が、肌側布の脇縁部から中央に向かって張り出すように縫着面又は装着面に対して隆起する隆起部を有している。したがって、パッドからの伝い漏れや飛び跳ねが発生した場合であっても、漏れた体液が隆起部によって堰き止められて吸水性の肌側布側に戻されるので、外衣が汚れることを防止でき、着用者の不快感を抑えることが可能となる。また、第１の脇布の隆起部は、着用時の姿勢によっては横倒れする場合がある。しかしながら、横倒れが生じた場合には、隆起部が潰れる分だけ幅方向に広がり、肌側布の脇縁部の防水・撥水領域が広がるので、着用時の姿勢が変化した場合であっても漏れた体液の堰き止め効果が担保される。
【発明の効果】
【００１４】
本発明によれば、パッドからの漏れが生じた場合であっても、着用時の不快感を抑えることができる。
【図面の簡単な説明】
【００１５】
【図１】（ａ）は、本発明に係る下着の一実施形態である尿失禁者用ショーツを示す正面図であり、（ｂ）はその背面図である。
【図２】図１に示した尿失禁者用ショーツのクロッチ部を示す図である。
【図３】図２におけるＩＩＩ−ＩＩＩ線断面図である。
【図４】図２におけるＩＶ−ＩＶ線断面図である。
【図５】変形例に係るクロッチ部の要部断面図である。
【発明を実施するための形態】
【００１６】
以下、図面を参照しながら、本発明に係る下着の好適な実施形態について詳細に説明する。
【００１７】
図１（ａ）は、本発明に従って構成された下着の一実施形態である女性用の尿失禁者用ショーツを示す正面図であり、図１（ｂ）はその背面図である。図１（ａ）及び図１（ｂ）に示すように、この尿失禁者用ショーツ１は、ショーツ本体部２と、クロッチ部３とを備えている。
【００１８】
ショーツ本体部２は、例えば綿・ナイロンを主体とする布地からなり、背面側の中央部分で左右が縫着されて前身頃及び後身頃を構成している。背面側の中央部分の肌側には、ストレッチ性のテープがクロッチ部中央から、臀部、ウエスト部にかけて縫着されている。これにより、尿によって重くなったパッドの保持と安定が生み出されるようになっている。また、ショーツ本体部２のウエスト部２ａには、ストレッチレースが縫着されており、ずれ落ちにくくなっているが、ゴム通し穴も設けられている。また、ショーツ本体部２の左右の股刳り部２ｂには、伸縮性布４がそれぞれ配されている。これにより、着用時のフィット感が確保されている。
【００１９】
次に、クロッチ部３について詳細に説明する。図２は、クロッチ部３を展開して示す平面図である。また、図３は、図２におけるＩＩＩ−ＩＩＩ線断面図であり、図４は、図２におけるＩＶ−ＩＶ線断面図である。図２及び図３に示すように、クロッチ部３は、肌側布１１と、裏当布１２と、前縁布１３と、後縁布１４と、第１の脇布１５と、第２の脇布１６とを備えて構成されている。
【００２０】
肌側布１１は、例えばポリエステルを主体とし、抗菌性及び防臭性を有する繊維が混織されたメッシュ状の布地により、クロッチ部３の展開形状に合わせて形成されている。すなわち、肌側布１１は、着用者の股座に対応する長さ寸法及び幅寸法を有しており、恥骨側に当てられる前縁部１１ａは、凸状に湾曲して形成され、臀部側に当てられる後縁部１１ｂは、前縁部１１ａよりも大きな径で凸状に湾曲して形成されている。また、肌側布１１の脇縁部１１ｃ，１１ｃは、それぞれ凹状に湾曲して形成されている。
【００２１】
肌側布１１の肌側面は、失禁時の尿が外部に漏れるのを抑えるパッド（不図示）が縫着される装着面１１ｄとなっている。装着面１１ｄには、肌側布１１の外形に比べて一回り小さい寸法のパッドの取付領域Ｐが設定されている。取付領域Ｐの前縁部は、凸状に湾曲して形成され、後縁部は、前縁部よりも大きな径で凸状に湾曲して形成されている。また、取付領域Ｐの脇縁部は、それぞれ凹状に湾曲して形成されている。さらに、肌側面の前部には、用便時に装着したパッドが落下するのを防止する落下防止ゴムＧが左右方向に配置されている。この落下防止ゴムＧの両端部は、後述する隆起部１７の下を通って肌側布１１に縫着されている。
【００２２】
裏当布１２は、例えばポリエステル天竺ラミネートからなる布地によって肌側布１１と略同形状に形成されている。裏当布１２の肌側面１２ａには、例えばポリウレタンフィルムがラミネートされて防水性が付与されている。また、裏当布１２の裏側面１２ｂには、例えばグラビア撥水加工で撥水性が付与されている。この裏当布１２は、肌側布１１の上面に比べて一回り大きい寸法を有している。これにより、裏当布１２の前縁部１２ｃ、後縁部１２ｄ、及び脇縁部１２ｅは、肌側布１１の前縁部１１ａ、後縁部１１ｂ、及び脇縁部１１ｃから張り出す張出部分となっている。
【００２３】
前縁布１３及び後縁布１４は、裏当布１２と同様の布地によって帯状に形成されている。前縁布１３及び後縁布１４の肌側面１３ａ，１４ａには、例えばグラビア撥水加工で撥水性が付与されている。また、前縁布１３及び後縁布１４の裏側面１３ｂ，１４ｂには、例えばポリウレタンフィルムがラミネートされて防水性が付与されている。
【００２４】
前縁布１３は、肌側布１１の前縁部１１ａに沿って配置されている。図４に示すように、前縁布１３における幅方向の一方の縁部１３ｃは、裏側に折り返された状態で、撥水性の糸Ｌ１によって肌側布１１の前縁部１１ａに縫着され、前縁布１３における幅方向の他方の縁部１３ｄは、撥水性の糸Ｌ２によって裏当布１２の前縁部１２ｃに縫着されている。また、後縁布１４は、肌側布１１の後縁部１１ｂに沿って配置されている。後縁布１４における幅方向の一方の縁部１４ｃは、裏側に折り返された状態で、撥水性の糸Ｌ３によって肌側布１１の後縁部１１ｂに縫着され、後縁布１４における幅方向の他方の縁部１４ｄは、撥水性の糸Ｌ４によって裏当布１２の後縁部１２ｄに縫着されている。
【００２５】
第１の脇布１５は、裏当布１２と同様の布地によって帯状に形成されている。第１の脇布１５の肌側面１５ａには、例えばグラビア撥水加工で撥水性が付与されている。また、第１の脇布１５の裏側面１５ｂには、例えばポリウレタンフィルムがラミネートされて防水性が付与されている。
【００２６】
第１の脇布１５は、肌側布１１の脇縁部１１ｃに沿って配置されている。図３に示すように、第１の脇布１５の一方の脇縁部１５ｃは、裏側に折り返された状態で、撥水性の糸Ｌ５によって肌側布１１の脇縁部１１ｃに縫着されている。また、第１の脇布１５の他方の脇縁部１５ｄは、裏当布１２の脇縁部１２ｅと共に肌側に折り返された状態で、撥水性の糸Ｌ６によって裏当布１２の脇縁部１２ｅに縫着されている。
【００２７】
ここで、第１の脇布１５は、展開状態において、裏当布１２における脇縁部１２ｅの張出部分の幅よりも広い幅を有している。したがって、第１の脇布１５の一方の脇縁部１５ｃが裏側に折り返された状態で肌側布１１の脇縁部１１ｃに縫着されることにより、図３に示すように、肌側布１１の脇縁部１１ｃから中央側（肌側布１１側）に向かって張り出すように装着面１１ｄに対して隆起する隆起部１７が形成されている。
【００２８】
また、展開状態における第１の脇布１５の幅は一様ではなく、前後の端部から中央部分に向かって徐々に幅が広くなるような略三日月状となっている。このため、第１の脇布１５の幅と裏当布１２の脇縁部１２ｅの張出部分の幅との差は、脇縁部１１ｃ凹状に湾曲することによって肌側布１１の幅が最も小さくなる位置、すなわち、着用者の鼠蹊溝の最下部に相当する位置において最大となっている。
【００２９】
したがって、第１の脇布１５によって形成される隆起部１７の高さは、図４に示すように、展開状態における第１の脇布１５の幅に比例して、前後の端部から中央部分に向かって徐々に高くなっており、着用状態において、着用者の鼠蹊溝の最下部に相当する位置で最大となっている。
【００３０】
第２の脇布１６は、第１の脇布１５と同様の布地によって帯状に形成されている。第２の脇布１６の肌側面１６ａには、例えばポリウレタンフィルムがラミネートされて防水性が付与されている。また、第２の脇布１６の裏側面１６ｂには、例えばポリウレタン撥水加工で撥水性が付与されている。
【００３１】
第２の脇布１６は、図３に示すように、肌側布１１の脇縁部１１ｃに沿って第１の脇布１５の裏側に配置されている。第２の脇布１６の一方の脇縁部１６ｃは、肌側に折り返された状態で、肌側布１１における脇縁部１１ｃの裏側に当てられ、撥水性の糸Ｌ５によって第１の脇布１５と共に肌側布１１の脇縁部１１ｃに縫着されている。また、第２の脇布１６の他方の脇縁部１６ｄは、裏当布１２の脇縁部１２ｅ及び第１の脇布１５の他方の脇縁部１５ｄと共に肌側に折り返された状態で、撥水性の糸Ｌ６によって裏当布１２の脇縁部１２ｅに縫着されている。
【００３２】
このような構成により、第２の脇布１６は、肌側布１１の脇縁部１１ｃに沿って、第１の脇布１５との間で袋部Ｓを形成している。袋部Ｓの内部では、第１の脇布１５の裏側面１５ｂが防水性を有し、かつ第２の脇布１６の肌側面１６ａが防水性を有していることにより、防水性を有する面同士が対面した状態となっている。なお、上述した第１の脇布１５の脇縁部１５ｄ、第２の脇布１６の脇縁部１６ｄ、及び裏当布１２の脇縁部１２ｅは、撥水性の糸Ｌ６によってショーツ本体部２の左右の股刳り部２ｂに配された伸縮性布４に縫着されている。
【００３３】
以上説明したように、尿失禁者用ショーツ１では、クロッチ部３において、肌側布１１の脇縁部１１ｃに設けられた第１の脇布１５が裏当布１２の張出部分よりも広い幅を有している。そして、第１の脇布１５の脇縁部１５ｃが折り返された状態で肌側布１１の脇縁部１１ｃに縫着されることにより、肌側布１１の脇縁部１１ｃから肌側布１１の中央側に向かって張り出すように装着面１１ｄに対して隆起する隆起部１７が形成されている。
【００３４】
したがって、この尿失禁者用ショーツ１では、パッドからの伝い漏れ、飛び跳ね、流れ落ちなどが発生した場合であっても、漏れた尿が隆起部１７によって堰き止められて吸水性の肌側布１１側に戻されるので、外衣が汚れることを防止でき、着用者の不快感を抑えることが可能となる。また、第１の脇布１５の隆起部１７は、着用時の姿勢によっては横倒れする場合がある。しかしながら、横倒れが生じた場合には、隆起部１７が潰れる分だけ幅方向に広がり、肌側布１１の脇縁部１１ｃの防水・撥水領域が広がることとなるので、着用時の姿勢が変化した場合であっても漏れた尿の堰き止め効果が担保される。
【００３５】
また、尿失禁者用ショーツ１では、隆起部１７の高さが、着用状態において着用者の鼠蹊溝の最下部に相当する位置で最大となっている。パッドで受ける尿の量は、鼠蹊溝の最下部に相当する位置で最も多くなる傾向にある。したがって、隆起部１７の高さをこの位置で最大としておくことにより、パッドから漏れた尿を一層効果的に堰き止めることができる。この効果は、着用者が起立状態にある場合において特に有効である。
【００３６】
また、尿失禁者用ショーツ１では、第１の脇布１５と裏当布１２との間に第２の脇布１６が配置され、第２の脇布１６が肌側布１１の脇縁部１１ｃと裏当布１２の脇縁部１２ｅとに縫着されることにより、第１の脇布１５との間で袋部Ｓが形成されている。これにより、身体運動、荷重により押さえつけられても、隆起部１７の復元性が得られ、隙間が発生しにくくなる。
【００３７】
また、袋部Ｓの内部では、第１の脇布１５の裏側面１５ｂが防水性を有し、かつ第２の脇布１６の肌側面１６ａが防水性を有していることにより、防水性を有する面同士が対面した状態となっている。防水性を有する布同士は、互いに密着し易い性質を有している。このため、第１の脇布１５の裏側面１５ｂと第２の脇布１６の肌側面１６ａとを共に防水性を有する面とすることで、袋部Ｓ内に尿が浸透しにくくなると共に、尿が広がりにくくなり、外衣が汚れることを一層確実に防止できる。
【００３８】
さらに、肌側布１１、裏当布１２、前縁布１３、後縁布１４、第１の脇布１５、及び第２の脇布１６の縫着に用いる糸には、撥水性の糸Ｌ１〜Ｌ６がそれぞれ用いられている。したがって、縫着部分を介した尿の伝い漏れを抑制できる。特に、隆起部１７を形成している肌側布１１と第１の脇布１５との縫着部分では、撥水性の糸Ｌ５が第１の脇布１５の表側に露出しないようになっているので（図３参照）、伝え漏れの経路が効果的に遮断されている。
【００３９】
本発明は、上記実施形態に限られるものではない。図５は、変形例に係るクロッチ部２３の要部断面図である。図５に示すように、このクロッチ部２３では、第２の脇布１６の一方の脇縁部１６ｃは、裏側に折り返された状態で、第１の脇布１５における脇縁部１５ｃの裏側面１５ｂに当てられ、撥水性の糸Ｌ５によって第１の脇布１５と共に肌側布１１の脇縁部１１ｃに縫着されている。また、クロッチ部２３では、図３の場合とは反対に、第２の脇布１６の肌側面１６ａに撥水性が付与され、第２の脇布１６の裏側面１６ｂに防水性が付与されている。この場合、第２の脇布１６と裏当布１２における脇縁部１２ｅの張出部分との間で、防水性を有する面同士が対面した状態となるので、第２の脇布１６と裏当布１２との間からの尿漏れの発生を抑制できる。
【００４０】
なお、上記実施形態では女性用の尿失禁者用ショーツを例示したが、本発明は人体にフィットする種々の股付き衣類（例えばガードル、生理用ショーツ、ベビー用パンツ、トレーニングパンツなど）に適用できる。また、パッドの取り付け位置等を適宜変更することで、男性用の下着等にも適用できる。肌側布１１、第１の脇布１５、第２の脇布１６、及び裏当布１２の固定は縫着に限られず、接着等を用いることもできる。
【符号の説明】
【００４１】
１…尿失禁者用ショーツ（下着）、３，２３…クロッチ部、１１…肌側布、１１ｃ…脇縁部、１１ｄ…装着面、１２…裏当布、１２ａ…肌側面、１２ｅ…脇縁部、１５…第１の脇布、１５ｂ…裏側面、１５ｃ…脇縁部、１６…第２の脇布、１６ａ…肌側面、１７…隆起部、Ｓ…袋部。
【図１】
2010261135.tif 000003
【図２】
2010261135.tif 000004
【図３】
2010261135.tif 000005
【図４】
2010261135.tif 000006
【図５】
2010261135.tif 000007